(57)【要約】【課題】  簡単な操作により確実にロックされ、堅牢な組立とすることができる組立式合成樹脂製容器を提供せんとするものである。【解決手段】  底板の側端縁に沿って折曲自在に連結された４つの側板とからなり、前記各側板はそれぞれ対向する側板を対にして内側に折り畳むことができ、一方の対向する一対の側板の両端部に設けたロックレバーと他方の対向する一対の側板に設けた係合部とからなるロック部を設ける。前記ロックレバーは、側板から延設されたプレートの先端に、他方の対向する一対の側板に装着したロック解除部材の押圧用突部を受け入れる受け部を突設するとともに、前記受け部の上端部に係合片を設けてなる。前記係合片は、側板を起立させて組み立てるときに前記係合部によって押し下げられ、係合部が係合片を越えて反対側に位置したときにプレートのバネ作用により復帰することによって、係合部と係合片が係合しロック状態となる。【選択図】        図７
2005231723.tif 000002
【特許請求の範囲】
【請求項１】
平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部に設けたロックレバーと他方の対向する一対の側板に設けた係合部とからなるロック部を設けてなり、前記ロックレバーは、側板から延設されたプレートの先端に、他方の対向する一対の側板に装着されたロック解除部材の押圧用突部を受け入れる受け部を突設するとともに、前記受け部の上端部に係合片を設け、係合片と係合部とが係合するようにしたことを特徴とする組立式合成樹脂製容器。
【請求項２】
係合部の下面と係合片の上面の双方又はいずれか一方を傾斜面に形成したことを特徴とする請求項１に記載の組立式合成樹脂製容器。
【請求項３】
受け部は略Ｌ字状に形成した凹部であって、側板と平行する方向の内側面が開口しており、前記開口から押圧用突部を受け入れるようにしたことを特徴とする請求項１又は請求項２に記載の組立式合成樹脂製容器。
【請求項４】
平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部にロック部を構成するロックレバーを設けてなり、前記ロックレバーは、側板から延設されたプレートの先端に、他方の対向する一対の側板に装着されたロック解除部材の押圧用突部を受け入れる受け部を突設するとともに、前記受け部の上端部に係合片を設けてなり、他方の対向する一対の側板には、ロック部を構成し前記係合片と係合する係合部を設け、前記受け部に挿入される押圧用突部を先端に突設したロック解除部材を上下動可能に装着し、係合部と係合片との係合状態を解除するようにしたことを特徴とする組立式合成樹脂製容器。
【請求項５】
係合部の下面と係合片の上面は、傾斜面に形成されていることを特徴とする請求項４に記載の組立式合成樹脂製容器。
【請求項６】
受け部は、略Ｌ字状に形成された凹部であって、側板と平行する方向の内側面が開口しており、前記開口から押圧用突部を受け入れるようにしたことを特徴とする請求項４又は請求項５に記載の組立式合成樹脂製容器。
【発明の詳細な説明】
【技術分野】
【０００１】
この発明は、折り畳み状態から簡単に組み立てられ、また簡単に折り畳むことができる組立自在箱に係り、詳しくは方形状の底板の各側端縁に折曲部を介して連設した側板を、底板に向かって内方に折り畳み、コンパクトに折り畳んで保管及び運搬することができる組立自在な合成樹脂製容器に関するものである。
【背景技術】
【０００２】
従来、野菜、果物等を生産者から卸売業者に、さらに小売業者に輸送するために組立式の合成樹脂製容器が使用されている。合成樹脂製容器は、耐久性に優れており繰り返して使用することができるとともに、近年提起されている省資源の点からもダンボール箱に代わって多用されている。このような組立式容器として次のような容器がある。
【０００３】
特開２００３−１６５５３６号公報に開示された容器は、折り畳み状態から最初に立てられる側壁には、後から立てられる側壁が当接可能な係止弾性片を形成するとともに、後から立てられる側壁の外壁面に形成されたロック解除部材収納領域の左右領域には、それぞれ前記係止弾性片を押圧するロック解除本体と操作部を有するロック解除操作体とからなるロック解除部材を前記操作部が相対するように配設し、前記ロック解除部材の操作部を、互いに、接近する方向に移動させることにより、ワンタッチ操作により最初に立てられる側壁と後から立てられる側壁とのロック状態を解除するようにしたものがある。
【０００４】
即ち、ロック解除操作体を水平移動させることによって係止弾性片を押圧し、係止弾性片を外方に押し広げ、後から立てられる側壁に設けられた張り出し枠とのロック状態を解除するようにしたものである。従って、側壁を立てて組み立てると同時にロック状態となり、容易に組み立てられるとともに、ロック解除作業の作業性も向上する。
【０００５】
また、組立構造の容器としては、特開２００３−４０２６３号公報に開示された容器がある。即ち、第一側壁の外側面には略中央部に操作部を備えるとともに両端部に係合突起が設けられた係合部材を添設し、第二側壁の両端部には、前記係合突起と係合して第一側壁の内方への回動を規制する係合部を設け、前記係合部材の操作部を上動または下動させることにより、係合突起と係合部との係合状態を解除するようにした組立式構造の容器である。このような容器は、側壁を起立させて組み立てると同時に係合状態となり、組立作業を容易に行うことができる。また、不使用時には、係合部材の操作部を上動又は下動させるだけで係合状態が解除されるから、折り畳み作業を容易に行うことができる。
【特許文献１】特開２００３−１６５５３６号公報（図９及び図１５）
【特許文献１】特開２００３−４０２６３号公報（図１〜図４）
【発明の開示】
【発明が解決しようとする課題】
【０００６】
上記特開２００３−１６５５３６号公報記載の容器は、ロック解除部材を指で挟んで操作するために、指に強い力を加えなければならず操作が困難である。また、係止弾性片の突起を大きくすると、ロック解除部材をそれだけ大きくスライドさせなければならず、係止弾性片の突起を小さくすると、安全なロック状態が得られなくなるという問題がある。
【０００７】
また、特開２００３−４０２６３号公報記載の容器は、係合状態を解除するために操作する係合部材の先端に係合突起が設けられているために、係合突起が破損するとロック状態を保持することができなくなるから、組立式容器として使用することができなくなるという問題がある。
【０００８】
この発明はかかる現況に鑑みてなされたもので、故意にロック状態を解除しない限り組立状態が保持できるようなロック構造として安全性を高め、しかも操作が簡単な組立式合成樹脂製容器を提供せんとするものである。
【課題を解決するための手段】
【０００９】
この発明は上記目的を達成するために次のような構成とした。即ち、この発明に係る組立式合成樹脂製容器は、平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部に設けたロックレバーと他方の対向する一対の側板に設けた係合部とからなるロック部が設けられている。前記ロックレバーは、側板から延設されたプレートの先端に、他方の対向する一対の側板に装着されたロック解除部材の押圧用突部を受け入れる受け部を突設するとともに、前記受け部の上端部に係合片を設け、係合片と係合部が係合しロック状態となる。
前記係合部の下面と係合片の上面の双方又はいずれか一方を傾斜面に形成することが好ましい。また、前記受け部は、略Ｌ字状に形成された凹部であって、側板と平行する方向の内側面が開口しており、前記開口から押圧用突部を受け入れるように形成されている。
【００１０】
また、この発明に係る組立式合成樹脂製容器は、平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部にロック部を構成するロックレバーを設けてなり、前記ロックレバーは、側板から延設されたプレートの先端に、他方の対向する一対の側板に装着されたロック解除部材の押圧用突部を受け入れる受け部を突設するとともに、前記受け部の上端部に係合片を設けてなる。他方の対向する一対の側板には、ロック部を構成し前記係合片と係合する係合部を設けるとともに、前記受け部に挿入される押圧用突部を先端に突設したロック解除部材を上下動可能に装着し、係合部と係合片とのロック状態を解除するようにした。
前記係合部の下面と係合片の上面の双方又はいずれか一方を傾斜面に形成することが好ましい。また、前記受け部は、略Ｌ字状に形成された凹部であって、側板と平行する方向の内側面が開口しており、前記開口から押圧用突部を受け入れるように形成されている。
【発明の効果】
【００１１】
この発明は、上記説明から明らかなように、組立作業と折り畳み作業が容易であるばかりでなく、後から立てられる側板の回動方向と同一方向においてロックされることになるから、長辺側側板と短辺側側板を確実にロックすることができる。また、前記発明の効果に加えて、ロック機構とロック解除機構とを独立させることによって、誤作動を容易に防止することができる。
【発明を実施するための最良の形態】
【００１２】
この発明に係る組立式合成樹脂製容器を、図示する実施形態に基づいて詳細に説明する。組立式合成樹脂製容器１０は、方形状の底板１１と前記底板１１の端縁部に沿って配設された４つの側板１３〜１６からなる。前記４つの側板のうち、側板１３，１４は対向する短辺側の側板を形成し、側板１５，１６は、対向する長辺側の側板を形成している。前記側板１３，１４及び側板１５，１６は、底板１１の端縁部に設けられた回動軸１８，１９によってそれぞれ回動自在に軸着している。
【００１３】
また、前記側板１３，１４及び側板１５，１６は、いずれか一方側の対になっている側板を先に内側に折り畳み、他の対になっている側板を後から折り畳まれるが、後から折り畳む側板をほぼ水平に折り畳むことができるように、後から折り畳む側板の回動軸の位置を、先に折り畳まれる側板の回動軸よりも高い位置に配設されている。即ち、後から折り畳む側板の回動軸は、高さ調整部２０の上に配設されている。図示する実施形態では、先に折り畳まれる側板を短辺側の側板１３，１４とし、後から折り畳まれる側板を長辺側の側板１５，１６としている。短辺側の側板１３，１４の上部略中央には容器１０を持ち運ぶ際に指を挿入する取っ手孔２１が設けられている。
【００１４】
後から折り畳まれる側板とした長辺側の側板１５，１６の両端部には、図１，図４及び図７に示すように、側板に対して直交するように内側に突出した突出部１５ａ，１６ａが設けられている。組み立てたとき、短辺側の側板１３，１４の両端部外面が前記突出部１５ａ，１６ａの内面に接合することによって、側板１３，１４が外側へ回動するのを防止する。従って、前記突出部１５ａ，１６ａは、側板１３，１４の外側への回動を規制し、組立状態を確実に保持するように作用する。
【００１５】
前記側板１３，１４及び側板１５，１６は、底板１１に対して回動可能に軸着されており、まず、前記側板１３，１４を内側に向かって底板１１の上に折り畳むことができる。図示する実施形態では、まず、短辺側の側板１３，１４を折り畳んだ後、長辺側の側板１５，１６を折り畳むように構成されており、最終の折り畳み状態は、全体がほぼ水平な板状態となる（図示省略）。前記構成の容器１０は、折り畳み状態から長辺側の側板１５，１６を回動軸１９を支点にして起立させ、次いで、短辺側の側板１３，１４を起立させれば、それぞれ隅部で接合する面に設けたロック部２３によってロックされ、組立状態が保持され堅牢な容器とすることができる。
【００１６】
次に、前記ロック部２３と前記ロック部２３のロック状態を解除するロック解除部材２４の構成について説明する。この発明の特徴は、水平方向又は垂直方向からの押圧力に対しても組立状態が確実に保持できるとともに、ロックの解除作業が容易に行えるロック構造とした点にある。まずロック部２３について説明すると、ロック部２３は、一対の長辺側の側板１５，１６の両側端部に設けられたロックレバー２５，２５と、一対の短辺側の側板１３，１４の両側端面に設けた係合部２７，２７とからなる。
【００１７】
前記ロックレバー２５，２５は、図１，図４及び図７に示すように、長辺側の側板１５，１６の両側端部の内側に突出しており、側板１５、１６の側壁から延設されたプレート３０の先端に短辺側の側板に装着されたロック解除部材の押圧用突部を受け入れる略Ｌ字状受け部３１を設け、前記受け部３１の上端部に側板１３，１４の両側端面の係合部２７，２７と係合する係合片３３を設けてなる。
【００１８】
前記プレート３０、受け部３１及び係合片３３からなるロックレバー２５，２５の外周縁における側板１５，１６の側壁は、プレート３０の基部３４を残して切り取られており、略同一形状の透孔３５内に配設されている。また、プレート３０には、側板１５，１６と連結している基部３４側に透孔３８が設けられている。従って、プレート部３０の基部３４は、上下方向に撓むことが可能であってバネ作用を有する。
【００１９】
前記受け部３１は、プレート３０の先端内面に突出した略Ｌ字状の凹部であって、側板と平行する方向における内側面と側板と直交方向における内側面とが開口しており、後述するロック解除部材２４の先端部に突設した押圧用突部が挿入される。前記受け部３１の上端部に設けた係合片３３には、側板と平行な内側面に湾曲面又はテーパー面とした案内摺動面３７が形成され、反対側には係合部２７，２７と係合する係止部３９が段部を設けることによって形成されている。
【００２０】
前記受け部３１と係合片３３と対向する突出部１５ａ，１６ａの内面には、それぞれ凹部４０，４１が形成されている。前記凹部４０は、受け部３１を突出部１５ａ，１６ａ側に近づけて設けられるように、受け部３１の逃がし代となるものであり、凹部４１は、側板１３，１４の上枠の両端部を受け入れるための逃がし代となるものである。従って、凹部４０及び凹部４１は、適宜省略することが可能である。
【００２１】
まず、側板１５、１６を立て、次に側板１３，１４を立てて組み立てるときに、側板１３，１４の両側端面に設けた係合部２７，２７は、案内摺動面３７に当接すると、案内摺動面３７上を摺動しながら徐々に係合片３３を押し下げる。そして、係合部２７，２７が係合片３３を越えて案内摺動面３７の反対側に達すると、プレート３０のバネ作用によって係合片３３は押し上げられて復帰し、係止部３９に位置することになり、係合片３３と係合部２７とは係合してロック状態となる。
【００２２】
次に、一対の短辺側の側板１３，１４の両側端面に設けた係合部２７，２７の構成について説明する。係合部２７は、図７及び図８に示すように、側板１３，１４の両側端の上部に切欠部４２、４２が設けられている。図９及び図１０〜図１４に明らかなように、係合部２７の外側面は切り取られており、側板１３，１４の幅寸法よりも小さな幅寸法に形成されている。これは、係合部２７を前記凹部４１に嵌合させたとき、側板１３，１４の外面と突出部１５ａ，１６ａの外面とが同一になるように厚さ寸法を調整したものである。
【００２３】
さらに、係合部２７の下面には、テーパー面による傾斜面４３が設けられており、前記傾斜面４３の反対側となる内側面には、係止部４５が下向き段部を設けることによって形成されている。前記係合部２７は、側板１５、１６に次いで側板１３，１４を立てて組み立てるときに、下面の傾斜面４３が受け部３１の上端部に設けた係合片３３の案内摺動面３７に当接する。傾斜面４３と案内摺動面３７とが当接すると、係合片３３は両傾斜面によってスムーズに押し下げられる。そして、係合部２７，２７の係止部４５が案内摺動面３７上の反対側に達すると、プレート３０のバネ作用によって係合片３３は押し上げられて、係止部４５と係合することになり、確実にロックされることになる。
【００２４】
次に、上記ロック状態を解除するロック解除部材２４について説明する。ロック解除部材２４は、図２及び図３に示すように、本体５０の両端部に、上記受け部３１に嵌入する押圧用突部５１を突設してなり、下面には付勢力を与えるバネ５２を設けてなる。前記本体５０の略中央部の外側面に指掛け用凹部５３を設けてなり、両端部の突出面の裏面に係止用突起５５を突設してなる。前記係止用突起５５は、側板１３，１４の上部両端部に形成したスリット５７に摺動可能に係合される（図４〜図６参照）。
【００２５】
尚、前記係止用突起５５は、図示する実施形態では１つのスリット５７に係合するようにしたが、係止用突起５５の間隔を拡げて平行に形成した２つのスリットに独立して係合させてもよい。いずれにしても、係合用突起は、ロック解除部材２４が側板にスライド可能に取り付けられる構造であればよく、例えばボタン構造のような他の公知の構造とすることができる。
【００２６】
図８及び図９は、側板１３，１４の上部両端の構造を示す正面図と斜視図である。側板１３，１４の取っ手孔２１よりも上部は、前記ロック解除部材２４を装着するために凹面６０とされており、両端部には、押圧用突部５１を挿入するための孔６１がリブ６３の下面に形成されている。そして、リブ６３の下端部を切り欠くことによって押圧用突部５１を孔６１に挿入するための挿入口６５が設けられている。前記孔６１は押圧用突部５１がスライド可能な大きさであり、挿入口６５は押圧用突部５１が側板１３，１４と対向させた状態で挿入できる大きさに形成されている。
【００２７】
従って、上記構成のロック解除部材２４を側板１３，１４に装着するには、ロック解除部材２４を凹面６０に押し当てて、バネ５２の下端面を凹面６０の下端面に当接する。そして、バネ５２に抗して押し下げながら、押圧用突部５１を挿入口６５に位置させると同時に、係止用突起５５もスリット５７に位置させる。このようにして、係止用突起５５を押圧することによりスリット５７に嵌入し、その後押し下げを解除すれば、バネ５２の付勢力によってロック解除部材２４の本体５０が押し上げられ、同時に押圧用突部５１は孔６１に挿入される。このようにして、ロック解除部材２４を装着した後は、ロック解除部材２４は、スリット５７に摺動可能に嵌入された係止用突起５５によって外れることがなく、押圧用突部５１は孔６１内に挿入されているから、スムーズに上下動が可能である。なお、前記リブ６３は適宜省略しても、ロック解除部材２４の動きには殆んど影響を及ぼすことがない。
【００２８】
従来技術として知られているような、例えば特開２００３−４０２６３号公報に記載の容器において、長四角孔状の長孔に係合部材の係合突起を挿入するには、まず一方側の係合突起を長孔に挿入した後、他方側の係合突起を反対側にずらしながら挿入するか、係合部材を湾曲させて両方の係合突起を長孔に同時に挿入するしかなかった。片方を挿入した後、ずらして他方を挿入する前者の例では、係合部材に横方向のガタが生じることになり好ましくない。また、湾曲させて両端の係合突起を同時に挿入する後者の例では、装着作業が困難である。
【００２９】
この発明の上記実施形態では、ロック解除部材２４を側板１３、１４の凹面６０に押し当てることによって、あるいはロック解除部材２４を挿入口６５に斜めに差し込むことによってワンタッチで装着することができるから、装着作業が容易であるばかりでなく、ロック解除部材２４の損傷や変形を防止することができる。
【００３０】
次に、図１０〜図１４を参照しながらロック部２３の作用について説明する。容器を組み立てる場合は、まず、対向する長辺側の側板１５，１６を起立させ、次いで、短辺側の側板１３，１４を起立させる。側板１３，１４の上端部（ロック解除部材２４の装着側）を持って引き上げると、下端の回動軸１８を中心に回動し側板１５，１６の内面に円弧を描きながら立ち上げられる（図１０参照）。
【００３１】
側板１３，１４の上端が側板１５，１６の突出部１５ａ，１６ａに接近すると、係合部２７が係合片３３の案内摺動面３７に対向した状態で当接する。さらに、側板１３，１４を回動させると、係合片３３はプレート３０のバネ作用によって下方に押し下げられる（図１１参照）。このとき、係合部２７の下面には傾斜面４３が形成されているので、係合片３３をスムーズに押し下げることができる。
【００３２】
そして、係合部２７の係止部４５が、案内摺動面３７を越えて反対側に位置すると、プレート３０のバネ作用によって係合片３３は押し上げられるから、係合片３３と係止部４５とが係合する。また、ロック解除部材２４の押圧用突部５１が、受け部３１に内側の解放側から挿入される。このとき、係合部２７の一部が突出部１５ａ，１６ａに形成された凹部４１内に挿入され、側板１３，１４の両端部が突出部１５ａ，１６ａの内面に接合し、側板１３，１４の外面と突出部１５ａ，１６ａの外面とは同一面となる（図１２参照）。このようにして、長辺側の側板１５，１６を起立させ、次いで、短辺側の側板１３，１４を起立させるだけで、簡単にワンタッチで組み立てることができる。
【００３３】
尚、側板１３，１４の両端部と側板１５，１６の突出部１５ａ，１６ａとの接合面には、図示するのを省略したが、適宜公知のロック機構を設けることができる。例えば、突出部１５ａ，１６ａの内面にフックを突設し、側板１３，１４の両端部に前記フックを挿入し係止させる透孔を設ける構成としてもよい。
【００３４】
次に、組立状態からロック状態を解除して折り畳む場合には、係合片３３を押し下げて係止部４５との係合状態を解除すればよい。係合部２７と係合片３３との係合状態を解除するには、ロック解除部材２４の指掛け用凹部５３に指を入れてバネ５２に抗して下方に押し下げれば、同時に押圧用突部５１も押し下げられので、押圧用突部５１によって受け部３１も押し下げられることになる。受け部３１が押し下げられれば、上部に一体に形成されている係合片３３も下降することになり、係合部２７との係合状態は解除されることになる（図１３参照）。
【００３５】
係合部２７との係合状態が解除されれば、側板１３，１４を内側に倒すことが可能となる。受け部３１を押し下げている押圧用突部５１は、側板１３，１４を倒しながら、受け部３１の内側の開口から引き出すことができる。受け部３１から押圧用突部５１が引き出されると、受け部３１は上方に復帰することになるが、係合部２７は係合片３３の上面を越えれば側板１３，１４を倒すことが可能となる。
【００３６】
側板１３，１４は回動しながら倒れるので、上端の係合部２７が押圧用突部５１が受け部３１から外れる前に係合片３３の上面を越えることになり、ロック解除部材２４を押し下げながら倒すだけでロック状態を解除して折り畳むことができる。側板１３，１４を倒す途中でロック解除部材２４の指掛け用凹部５３から指を離して押し下げを止めれば、バネ５２の付勢によってロック解除部材２４は元の位置に復帰する。
【００３７】
尚、受け部３１を押し下げてロック状態を解除するロック解除部材の構成は、上記実施形態に限定されるものではなく、受け部３１を押し下げる構成であればよく他の任意の構成に変更することは可能である。他のロック解除部材の構成としては、例えば、押圧用突部が上下動するものであればよく、２以上の部品を組み立てたものであってもよい。またバネも他の構成の押圧バネであってもよく、内面に組み込んだ構成としてもよい。
【００３８】
次に、図１５〜図１８に基づいて、他の実施形態におけるロック解除部材の構成について説明する。図１５以下に示すロック解除部材は、側板と一体に成型し組み立てるようにしたものである。図１５は成型時の斜視図であり、図１６は組み付けたときの右半分の正面図であり、図１７及び図１８は、要部断面図である。ロック解除部材２４ａは、バネ７１を有し側板１３ａ，１４ａに連設された状態で成型される。
【００３９】
ロック解除部材２４ａの略中央部には指掛け用突起７３がほぼ水平方向に突設されており、両端部には押圧用突部５１ａが設けられている。また、前記指掛け用突起７３を突設した側の面には、係止用突起７５、７５が突設されており、下端縁の内側にはバネ７１、７１が一体に突設されている。前記バネ７１及び係止用突起７５はそれぞれ左右対称に設けられている。前記係止用突起７５は、一対の突起を平行に突設してなり、バネ７１は、Ｓ字状に折り曲げた状態の板バネであって、連結部７７を介して側板１３ａ，１４ａに連設されている。前記連結部７７にはボス７８が突設されており、１３ａ，１４ａの下端面には、底板に回動自在に取り付けるための回動軸８２が設けられている。
【００４０】
前記側板１３ａ，１４ａの上部中央には、取っ手孔７９が設けられており、両側端上部には前記実施形態で示した受け部３１を受け入れるための切欠部４２ａを設るとともに、両側端面に係合部２７ａを形成してなる。係合部２７ａの構成は係合部２７と同様であるから、同一符号を付してその説明は省略する。取っ手孔７９の下方に前記ロック解除部材２４ａが嵌合する溝８０が形成されている。前記溝８０は、嵌合したロック解除部材２４ａが上下動可能なように、溝幅がロック解除部材２４ａの幅寸法よりも大きく形成されている。
【００４１】
また、溝８０の両端部は前記切欠部４２ａに開口しており、この開口に装着された前記押圧用突部５１ａの先端部が切欠部４２ａ内に突出するように形成されている。溝８０の中央上部には、前記ロック解除部材２４ａの指掛け突起７３を挿入し、指掛け突起７３が上下動可能とする透孔８１が設けられている。また、溝８０内には、組み付けたときロック解除部材２４ａに設けた係止用突起７５が嵌入し上下動可能なスリット８３、８３が穿設されている。
【００４２】
さらに、前記連結部７７の下方には、前記連結部７７が嵌合する凹部８５と、前記凹部８５に連続してバネ７１が嵌入する透孔８７が設けられている。前記透孔８７は、嵌入したバネ７１が伸張し、ロック解除部材２４ａが上下動可能な大きさに形成されている。従って、バネ７１は、透孔８７内において伸縮可能である。凹部８５には、前記ボス７８が嵌合するボス孔８９が設けられている。連結部７７と側板１３ａ，１４ａの上面との境界部分には折り曲げることができるようにヒンジ９０が形成されている。
【００４３】
上記のように、ロック解除部材２４ａと側板１３ａ，１４ａとを一体に成型した後、側板１３ａ，１４ａにロック解除部材２４ａを組み付ければよい。ロック解除部材２４ａを組み付けるには、ヒンジ９０を中心にして回動させ側板１３ａ，１４ａに折り重ねればよい。ロック解除部材２４ａが回動して側板１３ａ，１４ａに重ねられると、ボス７８がボス孔８９に嵌合し、透孔８１に指掛け用突起７３が挿入され、透孔８７にバネ７１が挿入される。また、係止用突起７５がスリット８３に挿入される。
【００４４】
このとき、図１６に示すように、ロック解除部材２４ａの下面と溝８０の下側面との間には隙間９１が設けられており、この隙間９１によってロック解除部材２４ａが上下動可能となる。また、図１６及び図１８に示すように、透孔８１に挿入された指掛け用突起７３と透孔８１との間には、指先を挿入可能な隙間９３が設けられる。この隙間９３に指を挿入して指掛け用突起７３を押し下げることができる。指掛け用突起７３を押し下げると、バネ７１の上部はボス孔８９に嵌合したボス７８によって固定されているから、ロック解除部材２４ａはバネ７１に抗してスライドし、押し下げを止めるとバネ７１によって復帰することになる。
【００４５】
上記実施形態のように、ロック解除部材２４ａを側板１３ａ，１４ａと一体に成型し、成型後組み付ける構成とした場合には、部品点数を減らすことができ、保管、運搬が容易である。また、ロック解除部材２４ａを回動させて重ね合わせるだけで組み付けることができるから、組み付け作業が容易である。また、ロック解除部材２４ａは、ロック解除部材２４と同じように作用させることができる。
【００４６】
即ち、組み立てたとき、係合部２７ａと係止片３３とが係合してロック状態となり、同時に押圧用突部５１ａが長辺側側板に設けられた受け部３１内に挿入される。ロックを解除するときは、ロック解除部材２４ａをバネ７１に抗して押し下げれば、同時に押圧用突部５１ａが受け部３１を押し下げられることになるから、一体に形成された係止片３３が下がって係合部２７ａとの係合状態を解除する。
【図面の簡単な説明】
【００４７】
【図１】組立状態の容器を示す短辺側側板の右半分が正面図、左半分が長辺側側板の断面図である。
【図２】ロック解除部材の正面図である。
【図３】同じくロック解除部材のＡ−Ａ断面図である。
【図４】ロック解除部材を装着する前の容器を示す左半分が正面図、右半分が長辺側側板の断面図である。
【図５】図４におけるＢ−Ｂ断面図である。
【図６】短辺側側板にロック解除部材を取り付けた状態の要部を示す要部拡大断面図である。
【図７】短辺側の側板と長辺側の側板の組み立て状態を説明するための要部斜視図である。
【図８】短辺側の側板の要部を示す拡大正面図である。
【図９】同じく短辺側の側板の要部を示す拡大斜視図である。
【図１０】ロック部の動作を示し、短辺側の側板が立ち上がる状態の説明用断面図である。
【図１１】ロック部の動作を示し、係合部が係止片に当接しロック直前の状態の説明用断面図である。
【図１２】ロック部の動作を示し、ロック状態の説明用断面図である。
【図１３】ロック部の動作を示し、ロックを解除した状態の説明用断面図である。
【図１４】ロック部の動作を示し、ロックを解除し短辺側の側板が僅かに倒れた状態の説明用断面図である。
【図１５】ロック解除部材の他の実施形態を示し、側板と一体に成型した状態の斜視図である。
【図１６】同じくロック解除部材を側板に組み付けた状態の右半分を示す正面図である。
【図１７】図１６におけるＣ−Ｃ断面図である。
【図１８】図１６におけるＤ−Ｄ断面図である。
【符号の説明】
【００４８】
１０：組立式合成樹脂製容器  
１１：方形状底板
１３，１３ａ，１４，１４ａ：短辺側の側板
１５，１６：長辺側の側板  
１５ａ，１６ａ：突出部
１８、１９：回動軸
２０：調整部
２１：取っ手孔
２３：ロック部
２４：ロック解除部材
２５：ロックレバー
２７，２７ａ：係合部
３０：プレート
３１：受け部
３３：係合片
３５：透孔
３７：案内摺動面
３８：透孔
３９：係止部
４０：切欠凹部
４１：切欠凹部
４２，４２ａ：切欠部
４３：傾斜面
４５：係止部
５０：本体
５１，５１ａ：押圧用突部
５２：バネ
５３：指掛け用凹部
５５：係止用突起
５７：スリット
６０：凹面
６１：孔
６３：リブ
６５：挿入口
２４ａ：ロック解除部材
７１：バネ
７３：指掛け用突起
７５：係止用突起
７７：連結部
７８：切欠
７９：取っ手孔
７８：ボス
８０：溝
８１：透孔
８２：回動軸
８３：スリット
８５：凹部
８７：透孔
８９：ボス孔
９０：ヒンジ
９１：隙間
【図１】
2005231723.tif 000003
【図２】
2005231723.tif 000004
【図３】
2005231723.tif 000005
【図４】
2005231723.tif 000006
【図５】
2005231723.tif 000007
【図６】
2005231723.tif 000008
【図７】
2005231723.tif 000009
【図８】
2005231723.tif 000010
【図９】
2005231723.tif 000011
【図１０】
2005231723.tif 000012
【図１１】
2005231723.tif 000013
【図１２】
2005231723.tif 000014
【図１３】
2005231723.tif 000015
【図１４】
2005231723.tif 000016
【図１５】
2005231723.tif 000017
【図１６】
2005231723.tif 000018
【図１７】
2005231723.tif 000019
【図１８】
2005231723.tif 000020